(57)【要約】【課題】手又は腕と身体側面との接触を防ぎ、より楽な状態でハンドグリップを把持させることにより測定精度を維持可能な体組成計を提供する。【解決手段】生体電気インピーダンスを測定するための電極を左右の掌に各々接触させるためのハンドグリップを含むインピーダンス測定手段を有し、前記ハンドグリップを把持した手を身体側面に沿って下方へ伸ばした状態を測定姿勢とする体組成計において、前記ハンドグリップは、前記電極が配設された把持部と、この把持部を持つ手又は腕を身体側面に非接触に保つように身体に当接する当接部材とを備えて成る体組成計とする。これにより、手又は腕と身体側面との接触によるバイパス回路の形成に伴う漏れ電流を防いで高精度の測定が可能となり、前記当接部材を身体に当接した状態でハンドグリップを把持することから、測定姿勢を維持するための筋肉の緊張も生ぜず安定したインピーダンス測定が可能となる。【選択図】        図１
2005342497.tif 000002
【特許請求の範囲】
【請求項１】
生体電気インピーダンスを測定するための電極を左右の掌に各々接触させるためのハンドグリップを含むインピーダンス測定手段を有し、前記ハンドグリップを把持した手を身体側面に沿って下方へ伸ばした状態を測定姿勢とする体組成計において、
前記ハンドグリップは、前記電極が配設された把持部と、この把持部を持つ手又は腕を身体側面に非接触に保つように身体に当接する当接部材とを備えて成ることを特徴とする体組成計。
【請求項２】
前記当接部材は、身体側面に接触する当接部と、前記把持部に固定されてこの把持部と前記当接部との間の距離を保つ固定部とを備えて成ることを特徴とする請求項１記載の体組成計。
【請求項３】
前記当接部材は、身体側面に接する当接面の身体前後方向に、曲面又は平面からなる凹部が設けられていることを特徴とする請求項１又は２記載の体組成計。
【請求項４】
前記当接部材は、身体側面の形状に合わせて身体側面に接する当接面の角度を調整する角度調整部を更に有することを特徴とする請求項１又は２記載の体組成計。
【請求項５】
前記当接部材は、前記把持部から身体側面に接する当接面までの距離を調整する距離調整部を更に有することを特徴とする請求項１又は２記載の体組成計。
【発明の詳細な説明】
【技術分野】
【０００１】
本発明は手部電極用ハンドグリップを備えた体組成計に関するものである。
【背景技術】
【０００２】
従来のハンドグリップを備えた体組成計を図９の略外観図を用いて説明する。電流印加電極と電圧測定電極とを１対とするインピーダンス測定電極を人体の左右の足裏に各々接触させる足部電極と体重測定部とを備えた本体部１と、前記インピーダンス測定電極を左右の掌に接触させる手部電極を備えたハンドグリップ２と、前記本体部１とハンドグリップ２とを接続し、図示しないが表示部や各種操作部を備え、インピーダンス及び体脂肪や筋肉などの体組成に関する指標の演算、記憶及び表示を行なう筐体部３と、前記ハンドグリップ２を前記筐体部３に電気的に接続するコード４とで構成されている。
【０００３】
上記構成の体組成計は、図示したように測定時において、被測定者は、本体部１上に載り、前記ハンドグリップ２を把持し、身体の側面に沿って腕を下方へ伸ばした状態を測定姿勢とする。通常、前記手部電極を用いた測定において、例えば両手間のインピーダンス値を測定する場合、電流は、ハンドグリップ２を把持した掌に接触させた電流印加電極から腕を通って身体に流入し、このときの電圧を、同じく掌に接触させた電圧測定電極により測定するものである。前記手部及び足部電極を用いて各々測定した、両手間、両足間及び手足間の生体インピーダンスに基づいて、全身又は特定部位の体脂肪や筋肉等の体組成指標を算出するものである。
【０００４】
これにより、例えば、インピーダンス測定電極を備えた把持部を握り、腕全体を身体とほぼ直角に前方に突き出すような測定状態を取る機器に比べ、直立時の姿勢変化が少ないため、体液（主に血液）の移動に伴う生体インピーダンス変動により生じる測定誤差が軽減されるものである（例えば、特許文献１参照）。
【特許文献１】特開２００１−１０４２７２号公報
【発明の開示】
【発明が解決しようとする課題】
【０００５】
しかしながら、特開２００１−１０４２７２号公報記載の体組成計は、前記測定姿勢において、図中点線で囲んだＡ部及びＢ部に示すように、手又は腕の一部が身体側面に接触してしまう可能性があった。このとき、前記接触部分の体表面が直接接触するような状態で、特に接触部分に水滴が付着している場合、例えば入浴直後や運動後等の測定においては、ハンドグリップ２によって掌に接触させた電流印加電極から腕を通って身体に流入する電流の内、少なくとも一部が前述の接触部分よりバイパス回路を形成したごとく身体側面より流入し、体表面での漏れ電流としてインピーダンス測定に影響を及ぼす可能性があった。
【０００６】
このとき、Ａ部に示した、腋の下近傍の腕と身体側面とが接触している場合には、通常と比べ電位差は無視できるほど極僅かであるが、Ｂ部に示した、指又は掌を含む手部と大腿部側面近傍とが直接接触するような場合には、測定電位に大きく影響してしまう恐れがある。
【０００７】
また、上記影響を避けるためには、適する測定姿勢として、被測定者がハンドグリップ２を把持した状態で、肩関節位置から手及び腕を身体側面より離して維持する必要がある。しかしながら、このような測定姿勢をとると、筋肉の緊張に伴う筋肉断面積の変動による生体インピーダンスの変化を生じる場合があり、インピーダンス測定が不安定になる可能性があった。
【０００８】
従って本発明は上述の課題を解決し、安定した測定姿勢を維持可能なハンドグリップを備え、安定したインピーダンス測定を可能とする体組成計を提供する。
【課題を解決するための手段】
【０００９】
上記課題を解決するために本発明は、生体電気インピーダンスを測定するための電極を左右の掌に各々接触させるためのハンドグリップを含むインピーダンス測定手段を有し、前記ハンドグリップを把持した手を身体側面に沿って下方へ伸ばした状態を測定姿勢とする体組成計において、前記ハンドグリップが、前記電極が配設された把持部と、この把持部を持つ手又は腕を身体側面に非接触に保つように身体に当接する当接部材とを備えて成るものとする。
【００１０】
ここで、前記当接部材は、身体側面に接触する当接部と、前記把持部に固定されてこの把持部と前記当接部との間の距離を保つ固定部とを備えて成るものとする。
【００１１】
更に、前記当接部材は、身体側面に接する当接面の身体前後方向に、曲面又は平面からなる凹部が設けられているものとする。
【００１２】
また、前記当接部材は、身体側面の形状に合わせて身体側面に接する当接面の角度を調整する角度調整部を更に有するものとする。
【００１３】
また、前記当接部材は、前記把持部から身体側面に接する当接面までの距離を調整する距離調整部を更に有するものとする。
【発明の効果】
【００１４】
本発明の体組成計は、生体電気インピーダンスを測定するための電極を左右の掌に各々接触させるためのハンドグリップが、前記電極が配設された把持部と、この把持部を持つ手又は腕を身体側面に非接触に保つように身体に当接する当接部材とを備えて成ることから、手又は腕と身体側面との接触によるバイパス回路の形成に伴う漏れ電流を防ぎ、高精度の測定が可能となる。また、前記当接部材を身体に当接させた状態でハンドグリップを把持すればよいから、測定姿勢を維持するための筋肉の緊張も生ぜず、安定したインピーダンス測定が可能となる。
【００１５】
ここで、前記当接部材を、身体側面に接触する当接部と、前記把持部に固定されてこの把持部と前記当接部との間の距離を保つ固定部とを備えて成るものとした場合には、簡便な構成で安価に製造可能となる。
【００１６】
更に、前記当接部材は、身体側面に接する当接面の身体前後方向に、曲面又は平面からなる凹部が設けられている場合には、斯かる当接部材をより身体側面に密着させることが可能となり、身体側面に対して手の位置がぶれにくくなることから、測定姿勢をより安定させることが可能となる。
【００１７】
また、前記当接部材は、身体側面の形状に合わせて身体側面に接する当接面の角度を調整する角度調整部を更に有する場合には、被測定者の体型にかかわらず、且つ、手首や肘を不自然に曲げることなく、一定の測定姿勢を保つことが可能となる。
【００１８】
また、前記当接部材は、前記把持部から身体へ当接する当接面までの距離を調整する距離調整部を更に有する場合には、様々な体型への適応が可能となり、被測定者が自分の体型に適する測定姿勢を保つことが可能となる。
【発明を実施するための最良の形態】
【００１９】
本発明の体組成計は、生体電気インピーダンスを測定するための電極を左右の掌に各々接触させるためのハンドグリップを含むインピーダンス測定手段を有し、前記ハンドグリップを把持した手を身体側面に沿って下方へ伸ばした状態を測定姿勢とする体組成計において、前記ハンドグリップが、前記電極が配設された把持部と、この把持部を持つ手又は腕を身体側面に非接触に保つように身体に当接する当接部材とを備えて成るものとする。
【００２０】
ここで、前記当接部材は、身体側面に接触する当接部と、前記把持部に固定されてこの把持部と前記当接部との間の距離を保つ固定部とを備えて成ることが望ましい。
【００２１】
更に、前記当接部材は、身体側面に接する当接面の身体前後方向に、曲面又は平面からなる凹部が設けられていることが望ましい。
【００２２】
また、前記当接部材は、身体側面の形状に合わせて身体側面に接する当接面の角度を調整する角度調整部を更に有していることが望ましい。
【００２３】
また、前記当接部材は、前記把持部から身体側面に接する当接面までの距離を調整する距離調整部を更に有していることが望ましい。
【実施例１】
【００２４】
本発明の実施例１を図１乃至図３を用いて説明する。図１は、本発明のハンドグリップを備えた体組成計の測定状態を示す略外観図であり、図２は図１中Ｃ部に示したハンドグリップの拡大図であり、図３は図２を真下から見上げた図である。
【００２５】
図１において示す本実施例１の体組成計１０は、本体部１１、後述する黒塗りにて図示した、左右独立した二つのハンドグリップ１２及び、前記本体部１１とハンドグリップ１２とを電気的に接続するコード１３とから成る。
【００２６】
前記本体部１１は、左右足裏に各々接触させる、電流印加電極と電圧測定電極とを１対とするインピーダンス測定電極から成る足部電極、電源のオンオフの操作及び各種設定や身体情報の入力操作などを行なう操作部及び体重測定部を備え、内部には、インピーダンス及び脂肪や筋肉などの体組成指標を演算、記憶及び表示させる公知のインピーダンス測定及び体組成指標算出用回路が組み込まれて成る。
【００２７】
ここで、図示したように被測定者が取る測定姿勢は、背景技術において前述した体組成計と同様である。すなわち、被測定者は本体部１１上に直立した状態で、ハンドグリップ１２を把持し、身体側面に沿って腕を下方へ伸ばした状態を測定姿勢とする。
【００２８】
このとき図１中Ｃ部に示すように、ハンドグリップ１２により手及び腕を身体側面に非接触とする良好な測定姿勢が得られる。
【００２９】
次に、前記ハンドグリップ１２を図２及び図３を用いて詳述する。ただしハンドグリップ１２は左右同じ構成であるため、ここでは前記Ｃ部に示した右手側のハンドグリップのみ説明し、左手側は説明を省略する。
【００３０】
図２は前記図１中に示したＣ部の拡大図である。ハンドグリップ１２は、略円柱状に形成されて手で把持される把持部たるグリップ本体１４を備え、このグリップ本体１４には、これを把持した際に主に指先付近に接触する一面に配された電流印加電極１５と、この電流印加電極１５が配された面のほぼ対面の主に掌付近に接触する一面に配された電圧測定電極１６とが、両電極間を絶縁されて配設されている。
【００３１】
また、ハンドグリップ１２は、身体側面に接触する当接部材１７を備えており、図２を真下、すなわち足元から見上げた状態を示す図３によると、この当接部材１７は、略コの字型に形成された部材であり、前記グリップ本体１４の各端面にネジにより固定される端部を含む固定部１８と、身体側面への当接面を含む当接部１９とが、一体で形成されて成る。
【００３２】
被測定者は、前記ハンドグリップ１２のグリップ本体１４を把持して、本体部１１に直立して測定姿勢をとる。この際、前記当接部材１７は、前記当接部１９を身体側面に接触させ、前記固定部１８によって、グリップ本体１４を把持した手を身体側面に非接触の状態で維持する。これに伴い、腕全体も身体側面より自然に離れるため、被測定者は何ら力を加えて測定姿勢を維持する必要が無く、従って筋肉の緊張に伴う筋肉断面積の変動によるインピーダンス変化に影響されることなく、安定した測定が可能である。
【００３３】
ここで、インピーダンス測定及び体組成指標の演算は公知の８つの電極を用いた体組成計と同様であるため説明を省略する。
【実施例２】
【００３４】
本発明の実施例２は、身体側面の鉛直方向の凹凸に合わせて、当接面の角度を可変とすることにより、グリップ本体１４の把持状態を保ち、測定姿勢を安定させるものである。構成を図４及び図５を用いて説明する。図４は、図１中に示したＣ部の本実施例２のハンドグリップを示す拡大図であり、図５は、図４を真下から見上げた図面である。
【００３５】
図４において、グリップ本体１４、電流印加電極１５及び電圧測定電極１６の構成及び作用は、図２及び図３により示した実施例１と同様である。そして、この実施例２のハンドグリップは、角度調整用当接部材２０を備える。この角度調整用当接部材２０は、前記グリップ本体１４の両端面にネジにより各々固定される固定部２１と、身体側面への当接面を含む当接部２２とを備え、図５に示すように、前記各固定部２１と当接部２２とはピン２３を介して接続されて成る。当接部２２は前記ピン２３を軸に固定部２１に対して回動自在に配したものである。なお、本実施例２の当接部２２は、実施例１の当接部１９に比べ、横手方向に幅広に形成されている。
【００３６】
これにより、被験者がグリップ本体１４を把持して、実施例１と同様に測定姿勢を取ったときに、前記当接部２２は身体側面の鉛直方向に対して、自由にその角度を変えるため、被測定者はグリップ本体１４を把持した手首や肘を無理に曲げて身体側面形状に合わせる必要も無く、測定姿勢を自然な状態で一定に保つことが可能であり、安定した測定が可能である。
【実施例３】
【００３７】
本発明の実施例３は、当接面とグリップ本体１４との間の距離を調整可能とするものであり、すなわち、グリップ本体１４を把持した手と身体側面との距離を調整するものである。構成を図６を用いて説明する。図６は、図１中に示したＣ部の本実施例３のハンドグリップを真下から見上げた図である。
【００３８】
図６において、グリップ本体１４、電流印加電極１５及び電圧測定電極１６の構成及び作用は、図２及び図３により示した実施例１と同様である。そして、この実施例３のハンドグリップは、距離調整用当接部材３０を備える。この距離調整用当接部材３０は、前記グリップ本体１４の両端面にネジにより各々固定される固定部３１と、身体側面への当接面を含む当接部３２とを備え、前記各固定部３１と当接部３２とは、固定部３１に対して当接部３２を自在に引き出し及び位置固定可能とする公知のスライド機構部３３を介して接続されて成る。
【００３９】
これにより、被験者がグリップ１４を把持して実施例１と同様に測定姿勢を取る際に、手及び腕と身体側面とが接触しない位置まで当接部３２を固定部３１よりスライドして引き出して距離を調整することにより、自分の体型に合わせて適する測定姿勢を保つことが可能である。
【００４０】
なお、実施例１乃至３においては、各当接部材１７、２０及び３０の当接面を平面として示したが、図３に示した実施例１の当接部材１７の変形例として図７に示すように、前記当接面の身体前後方向を曲面凹部とした当接部材４０を設けてもよい。このような凹部を設けることにより、身体側面に密着する面積が大きくなり、身体側面に対して手の位置がぶれにくくなることから、安定した測定姿勢を取りやすく、より安定したインピーダンス測定が可能となる。同様に、平面から成る凹溝を設けても良い。
【００４１】
また、前記各固定部１８、２１及び３１は、グリップ本体１４の両端面にネジ止めして構成したが、グリップ本体１４と一体成形しても良く、安価に製造可能である。
【００４２】
また、コード１３はグリップ本体１４の片側端面に配したが、測定姿勢に悪影響を及ぼす位置でなければ何れの位置に配しても良い。例えば、図８に示すように、グリップ本体１４の中央下部付近に配し、コード１３を指の間に挟んだ状態でグリップ本体１４を把持するハンドグリップにも対応可能である。
【００４３】
また、実施例１の当接部材１７は、固定部と当接部とから成る略コの字型として示したが、例えば当接部材１７において、グリップ本体１４と当接部１９との間には必ずしも空間が必要ではなく、前記当接部材１７は単に平板であって、グリップ１４近傍の所定の位置に指を挿入する挿入孔のみ設けて構成しても良い。これにより、常にグリップ本体１４をほぼ一定の把持位置で把持することが可能であり、安定したインピーダンス測定が可能である。ここで、実施例２及び実施例３に示した各当接部材２０及び３０に関しても、各固定部２１及び３１を同様に平板として構成しても良い。
【００４４】
また、実施例２においては、当接部２２をその横手方向に幅広に設けることにより、当接面の接触状態を安定させたが、実施例１又は実施例３においても同様に、当接部１９又は３２を横手方向に幅広とすることにより当接面と身体側面との接触面積を確保して接触状態を安定させても良い。
【００４５】
更に、２５０ｋＨｚや５００ｋＨｚといった高周波電流によるインピーダンス測定、特に、右又は左半身の手足間インピーダンス測定において、手部電極を把持した手及び腕が身体側面に極近接している場合、手部及び足部に各々接する電流印加電極間に流れる電流経路の内、手及び腕を流れる電流経路と、前記手及び腕近傍の身体側面を流れる電流経路との間に静電容量成分が発生し、インピーダンス測定に影響を及ぼす可能性がある。
【００４６】
従って、前記当接部材１７、２０又は３０の内、何れにおいても、手及び腕と身体側面との間に、予め前記影響を回避可能とする一定以上の距離を保つことにより、高周波電流によるインピーダンス測定に対しても精度良く対応可能である。
【図面の簡単な説明】
【００４７】
【図１】本発明の体組成計の測定状態を示す略外観図の一例である。
【図２】図１中Ｃ部の実施例１のハンドグリップを示す拡大図である。
【図３】図２を真下から見上げた図である。
【図４】図１中Ｃ部の実施例２のハンドグリップを示す拡大図である。
【図５】図２を真下から見上げた図である。
【図６】実施例３のハンドグリップを真下から見上げた図である。
【図７】本発明の体組成計のハンドグリップの別の実施態様である。
【図８】本発明の体組成計のハンドグリップの更に別の実施態様である。
【図９】従来の体組成計の測定状態を示す略外観図である。
【符号の説明】
【００４８】
１    本体部
２    ハンドグリップ
３    筐体部
４    コード
１０  体組成計
１１  本体部
１２  ハンドグリップ
１３  コード
１４  グリップ本体
１５  電流印加電極
１６  電圧測定電極
１７  当接部材
１８  固定部
１９  当接部
２０  角度調整用当接部材
２１  固定部
２２  当接部
２３  ピン
３０  距離調整用当接部材
３１  固定部
３２  当接部
３３  スライド機構部
４０  当接部材
【図１】
2005342497.tif 000003
【図２】
2005342497.tif 000004
【図３】
2005342497.tif 000005
【図４】
2005342497.tif 000006
【図５】
2005342497.tif 000007
【図６】
2005342497.tif 000008
【図７】
2005342497.tif 000009
【図８】
2005342497.tif 000010
【図９】
2005342497.tif 000011